(57)【特許請求の範囲】
【請求項１】
第１、第２の脚部を有する第１の基板における前記第１の脚部の内側面を除いた部分に第１の電極を、前記第２の脚部の内側面を除いた部分に第２の電極をそれぞれ形成すると共に、第１の基板の内底面である凹部の貫通孔に貫通孔電極を形成し、前記貫通孔電極を介して前記第１の電極と導通する第３の電極を有する第１のポリマ導電性シートを前記第１の基板の凹部内に収納して形成し、上面および下面を含む面に第４の電極を形成した第２の基板を前記第１の基板の第２の脚部および第１のポリマ導電性シートの上面に配置して前記第４の電極と前記第２の電極とを導通させ、前記第２の基板の上面に第２のポリマ導電性シートを形成し、前記第１の基板の第１の脚部および第２のポリマ導電性シートの上面に第５の電極を下面に有する第３の基板を形成して前記第１の電極と前記第５の電極とを導通させてなるポリマＰＴＣサーミスタの製造方法。
【発明の詳細な説明】
【０００１】
【発明の属する技術分野】
本発明は、各種電気電子機器の過電流や過熱に対する回路保護に用いる、Ｐｏｓｉｔｉｖｅ  Ｔｅｍｐｅｒａｔｕｒｅ  Ｃｏｅｆｆｉｃｉｅｎｔ（以下、「ＰＴＣ」と記す。）特性を利用し、特に、有機高分子材料を素子本体として用いる面実装タイプのポリマＰＴＣサーミスタおよびその製造方法に関するものである。
【０００２】
【従来の技術】
以下、従来のポリマＰＴＣサーミスタについて、説明する。
【０００３】
従来のポリマＰＴＣサーミスタは、特公平１−２９０４４号公報に、「導電性粉末を混入した有機高分子材料を素子本体とし、その両面に、樹脂に金属粉を混ぜて導電性を持たせた導電性ペーストからなる電極がそれぞれ形成され、リード線がこれら各電極に、樹脂に金属粉を混ぜて導電性を持たせた導電ペーストによって接続され、さらに、素子本体および電極を覆うように、樹脂外装がリード線の先端部を残して付与された」ものが開示されている。
【０００４】
【発明が解決しようとする課題】
しかしながら上記従来の構成では、リード線を有しているため、近年の電子部品の低背化及び面実装化に対応できないという課題を有していた。
【０００５】
上記課題を解決するために本発明は、低背でかつ面実装の可能なポリマＰＴＣサーミスタの製造方法を提供することを目的とするものである。
【０００６】
【課題を解決するための手段】
上記目的を達成するために、凹状の第１の基板の凹部にポリマ導電性シートと基板とを交互に設けるものである。
【０００７】
【発明の実施の形態】
本発明の請求項１に記載の発明は、第１、第２の脚部を有する第１の基板における前記第１の脚部の内側面を除いた部分に第１の電極を、前記第２の脚部の内側面を除いた部分に第２の電極をそれぞれ形成すると共に、第１の基板の内底面である凹部の貫通孔に貫通孔電極を形成し、前記貫通孔電極を介して前記第１の電極と導通する第３の電極を有する第１のポリマ導電性シートを前記第１の基板の凹部内に収納して形成し、上面および下面を含む面に第４の電極を形成した第２の基板を前記第１の基板の第２の脚部および第１のポリマ導電性シートの上面に配置して前記第４の電極と前記第２の電極とを導通させ、前記第２の基板の上面に第２のポリマ導電性シートを形成し、前記第１の基板の第１の脚部および第２のポリマ導電性シートの上面に第５の電極を下面に有する第３の基板を形成して前記第１の電極と前記第５の電極とを導通させてなるものである。
【０００９】
以下、本発明の一実施の形態におけるポリマＰＴＣサーミスタおよびその製造方法について、図面を参照しながら説明する。
【００１０】
図１は本発明の一実施の形態におけるポリマＰＴＣサーミスタの分解斜視図、図２は同断面図である。
【００１１】
図において、１は内底面に貫通孔２を有するとともに凹部３を有するとともに高さの相違する第１、第２の脚部４，５（第１の脚部４＞第２の脚部５）を備えたアルミナ、窒化アルミナ、マグネシア、ジルコニア、ガラスセラミック等のセラミック、あるいは、アルミニウム、鉄、銅、ニッケル、ステンレス、銅マンガン、銅ニッケル亜鉛アルミニウム等の金属にポリエチレン、ナイロン、ポリエーテルアミド、ポリイミド、エポキシ樹脂等の絶縁膜を形成してなる凹状の第１の基板である。６，７は第１の基板１の第１、第２の脚部４，５の内側面を除いて設けられたポリエステル樹脂、フェノール樹脂、エポキシ樹脂等に銀、銅、ニッケル等に金属粉を充填してなるものあるいは金、銀、銀パラジウム、銅、ニッケル、金シリコン等の粉体を焼結してなる第１、第２の電極である。８は第１の基板１の凹部３内に第１、第２の脚部４，５と空隙を有して収納される下面にポリエステル樹脂、フェノール樹脂、エポキシ樹脂等に銀、銅、ニッケル等の金属粉を充填してなるものあるいは金、銀、銀パラジウム、銅、ニッケル、金シリコン等の粉体を焼結してなる第３の電極９を備えてなる高密度ポリエチレン等からなる結晶性ポリマとカーボンブラック等からなる導電粒子とを混合してなる組成物からなる第１のポリマ導電性シートである。ここで、第１の電極６と第３の電極９とは第１の基板１の貫通孔２を介して電気的に接続されるものである。１０は第１の基板１の凹部３内に第１、第２の脚部４，５と空隙を有して収納される第１の脚部４側の側面を除いて周囲にフェノール樹脂、エポキシ樹脂等に銀、銅、ニッケル等の金属粉を充填してなるものあるいは金、銀、銀パラジウム、銅、ニッケル、金シリコン等の粉体が焼結してなる第４の電極１１を有するアルミナ、窒化アルミナ、マグネシア、ジルコニア、ガラスセラミック等のセラミック、あるいは、アルミニウム、鉄、銅、ニッケル、ステンレス、銅マンガン、銅ニッケル亜鉛アルミニウム等の金属にポリエチレン、ナイロン、ポリエーテルアミド、ポリイミド、エポキシ樹脂等の絶縁膜を形成してなる第２の基板である。１２は第２の基板１０の第４の電極１１の上面に第１の基板１の第１の脚部４の上面の第１の電極６と同一平面となるように設けられた高密度ポリエチレン等からなる結晶性ポリマとカーボンブラック等からなる導電粒子とを混合してなる組成物からなる第２のポリマ導電性シートである。１３は第１の脚部４の第１の電極および第２のポリマ導電性シート１２の上面に、下面に第１の基板１の第１の電極６と電気的に接続するポリエステル樹脂、フェノール樹脂、エポキシ樹脂等に銀、銅、ニッケル等の金属粉を充填してなるあるいは金、銀、銀パラジウム、銅、ニッケル、金シリコン等の粉体を焼結してなる第５の電極１４を有するアルミナ、窒化アルミナ、マグネシア、ジルコニア、ガラスセラミック等のセラミック、あるいは、アルミニウム、鉄、銅、ニッケル、ステンレス、銅マンガン、銅ニッケル亜鉛アルミニウム等の金属にポリエチレン、ナイロン、ポリエーテルアミド、ポリイミド、エポキシ樹脂等の絶縁膜を形成してなる第３の基板である。
【００１２】
以上のように構成されたポリマＰＴＣサーミスタについて、以下にその製造方法を図面を参照しながら説明する。
【００１３】
図３は本発明の一実施の形態におけるポリマＰＴＣサーミスタの製造方法を示す図である。
【００１４】
まず、図３（ａ）に示すように、高さの相違する第１、第２の脚部２１，２２（第１の脚部２１＞第２の脚部２２）を有する第１の基板２３の内底面である凹部２４に貫通孔を設け、この貫通孔に電極ペーストを塗布し貫通孔電極２５を形成するとともに、第１の基板２３の第１、第２の脚部２１，２２の内側面を除いて、第１、第２の電極２６、２７を形成する。
【００１５】
次に、図３（ｂ）に示すように、第１の基板２３の凹部２４内に収納されるとともに下面に貫通孔電極２５に導通するように第３の電極２８を有する第１のポリマ導電性シート２９を形成する。
【００１６】
次に、図３（ｃ）に示すように、第１の基板２３の第２の脚部２２および第１のポリマ導電性シート２９の上面に周囲を第４の電極３０で覆われてなる第２の基板３１を形成する。
【００１７】
次に、図３（ｄ）に示すように、第２の基板３１の上面に第２のポリマ導電性シート３２を形成する。
【００１８】
最後に、図３（ｅ）に示すように、第１の基板２３の第１の脚部２１および第２のポリマ導電性シート３２の上面に、第１の電極２６および第２のポリマ導電性シート３２と導通する第５の電極３３を有する第３の基板３４を形成して、ポリマＰＴＣサーミスタを製造するものである。
【００１９】
なお、本実施の形態では、ポリマ導電性シートを２層の積層の場合について説明したが、絶縁基板を２枚以上使用してさらに多層化しても良い。
【００２０】
また、絶縁基板は、絶縁体である必要はなく、例えば、アルミニウム、鉄、金、銀、銅、白金、ニッケル、ステンレス、銅マンガン、銅ニッケル亜鉛アルミニウム等の金属でも良い。
【００２１】
以上のように本発明は以下の効果を奏するポリマＰＴＣサーミスタの製造方法を提供できるものである。
【００２２】
（１）ポリマ導電性シートからの取り出し電極を、リード端子を介して取り出す構造から、絶縁基板から直接取り出す構造とし、さらに、ポリマ導電性シートを立てた構造から、寝かした構造としたことにより、低背化できる。
【００２３】
（２）下地が下面の平坦な絶縁基板であって、少なくとも絶縁基板下面から電極を取り出した構造としたことにより、安定姿勢でプリント基板上に面実装できる。
【００２４】
（３）電極を取り出す際に、ポリマ導電性シートの側面に電極を接触させない構造としたことにより、熱膨張収縮による電極へのストレスを低減したので信頼性に優れる。
【図面の簡単な説明】
【図１】本発明の一実施の形態におけるポリマＰＴＣサーミスタの分解斜視図
【図２】同断面図
【図３】同製造方法を示す図
【符号の説明】
１  第１の基板
２  貫通孔
３  凹部
４  第１の脚部
５  第２の脚部
６  第１の電極
７  第２の電極
８  第１のポリマ導電性シート
９  第３の電極
１０  第２の基板
１１  第４の電極
１２  第２のポリマ導電性シート
１３  第３の基板
１４  第５の電極
２１  第１の脚部
２２  第２の脚部
２３  第１の基板
２４  凹部
２５  貫通孔電極
２６  第１の電極
２７  第２の電極
２８  第３の電極
２９  第１のポリマ導電性シート
３０  第４の電極
３１  第２の基板
３２  第２のポリマ導電性シート
３３  第５の電極
３４  第２の基板
【図１】
0003826465.tif 000002
【図２】
0003826465.tif 000003
【図３】
0003826465.tif 000004